(57)【要約】【課題】紙を基材とする排湯性に問題がなく湯切り時の湯残りの少ない湯切り機能付き蓋材を提供すること。【解決手段】容器本体の開口部に開口部とほぼ同じ外形で、開封用つまみを有する蓋材をシールしてなる食品用容器において、蓋材１は内面基材11とこれを被覆する表面基材12が接着剤13を介して積層され、表面基材の内側は略中央部から端縁に向けて広がる離型剤14の塗布された剥離領域Ａと、剥離領域に隣接した非剥離領域Ｂに区画され、剥離領域に隣接して配置された非剥離領域と剥離領域との境界に沿った剥離領域に表面基材を貫通する表面基材剥離用ミシン目線ａが形成され、剥離領域の基材端縁近傍には内面基材と接着剤層を貫通して離型剤塗布層14に到る湯切り孔４が湯切り孔形成用ハーフカット線ｂにより形成されている。【選択図】図１
2007084109.tif 000002
【特許請求の範囲】
【請求項１】
フランジ付き容器本体の開口部に、容器本体の開口部とほぼ同じ外形を有し、開封用つまみを有する蓋材をシールしてなる食品用容器において、
前記蓋材は、内面基材とこれを被覆する表面基材が接着剤層を介して積層され、
前記表面基材の内側は、略中央部分から端縁に向けて末広がり状に広がる離型剤の塗布された剥離領域と、該剥離領域に隣接して配置された非剥離領域とに区画され、
前記剥離領域に隣接して配置された非剥離領域と剥離領域との境界に沿った剥離領域に、表面基材を貫通する表面基材剥離用ミシン目線が形成され、
前記剥離領域の基材端縁寄り近傍には、内面基材と接着剤層を貫通して離型剤塗布層に到る湯切り孔が湯切り孔形成用ハーフカット線により形成されていることを特徴とする、湯切り機能付き蓋材。
【請求項２】
フランジ付き容器本体の開口部に、容器本体の開口部とほぼ同じ外形を有し、開封用つまみを有する蓋材をシールしてなる食品用容器において、
前記蓋材は、内面基材とこれを被覆する表面基材が接着剤層を介して積層され、
前記表面基材の内側は、開封用つまみ近傍から開封用つまみと対向する蓋材の端縁に向けて楔状に広がる離型剤の塗布された剥離領域と、該剥離領域に隣接して配置された非剥離領域とに区画され、
前記剥離領域に隣接して配置された非剥離領域と剥離領域との境界に沿った剥離領域側に、表面基材を貫通する表面基材剥離用ミシン目線が形成され、
前記剥離領域の基材端縁寄り近傍には、内面基材と接着剤層を貫通して離型剤塗布層に到る湯切り孔が湯切り孔形成用ハーフカット線により形成されていることを特徴とする、湯切り機能付き蓋材。
【請求項３】
前記表面基材剥離用ミシン目線の剥離開始部分は曲線状に形成されていることを特徴とする、請求項１又は２記載の湯切り機能付き蓋材。
【請求項４】
前記湯切り孔は、複数個形成され、少なくともその一つは先端がフランジに接して形成されていることを特徴とする、請求項１、２又は３記載の湯切り機能付き蓋材。
【発明の詳細な説明】
【技術分野】
【０００１】
本発明は、紙、アルミニウム箔、プラスチックフィルム等の包装材料が複数積層された積層体からなる構成で、カップ等の容器にヒートシールし、剥がすことにより開封する蓋材で、蓋材の層間で剥離させることで湯切り部分が出現する湯切り機能付き蓋材に関する。
【背景技術】
【０００２】
従来、特に焼きそば、スパゲッティなど、喫食に際して注湯を行い、所定時間経過後に、排湯作業を必要とするインスタント食品用のカップ容器としては、一般にポリスチレン系樹脂粒子にブタン、ペンタン等の揮発性発泡剤を含有させた発泡性樹脂粒子を、加熱等により発泡させることで形成した発泡粒子カップ容器本体に、シート成形により作製された外周に湯切り孔を有するプラスチック樹脂製の蓋材を被せたものが広く使用されている。
【０００３】
しかし、プラスチック樹脂製の蓋材は、カップ状容器本体に単に被せただけのものが多く、該プラスチック樹脂製の蓋材外周に設けられた、係合用の突部を有する溝部により係合されているものがほとんどであり、密封性がないという問題がある。
【０００４】
また、ほとんどがシート成形品であるため、輸送または保管の際に嵩張るとともにカップ状容器本体に被せた状態においても嵩張って見え、見栄えがよくないという問題も生じている。さらに、最近の環境問題に関連して廃棄処理の面でも問題となる可能性がある。
【０００５】
一方、紙を基材としてポリエチレン、アルミニウム箔等を積層した積層体からなる蓋材も多数開発されている（例えば、特許文献１参照）。
【０００６】
上記先行技術文献を示す。  
【特許文献１】特開２０００−１０９１４１号公報。
【０００７】
このような紙を基材とする蓋材は、前述のようなプラスチック樹脂製のものと比較して、密封性があり、輸送または保管の際に嵩張ることもなく、製造も容易で廃棄処理などのエコロジーの面でも優れたものである。
【０００８】
しかしながら、図８に示すように、湯切り孔開口用つまみ（２０３）を上方に引き上げて湯切り孔（２０４）を開口させると、くり抜かれた円形の湯切り孔の孔部分（２０５）は表面基材（２１２）に接着されているものの、脱落する場合があった。湯切り孔（２０４）を容器の端に近い位置に設計した場合、製造のばらつき等でシール部分にかかることがあり、くり抜かれた円形の湯切り孔の孔部分がシール部分に残ってしまうので、湯切り孔を容器端（２２１）に位置させることができず、湯切り時に湯が残り易いという問題があった。
【０００９】
また、紙を基材とする蓋材は、具材などの中身を取り出す開封用つまみ（２０２）と、注湯した熱水を排出する湯切り孔開口用つまみ（２０３）の二つが存在するため、調理方法を間違えて異なるつまみを開けてしまうといった場合もあった。
【００１０】
さらに、湯切り孔開口用つまみの存在により、容器外周が異なってしまうため、充填ラインの改造を必要とする場合もあった。
【発明の開示】
【発明が解決しようとする課題】
【００１１】
本発明は、焼きそば、スパゲッティなど、喫食に際して注湯を行い、所定時間経過後に、排湯作業を必要とするインスタント食品用のカップ状容器に使用される湯切り機能付き蓋材に関する以上のような問題に鑑みてなされたもので、紙を基材とし、排湯性に問題がなく、湯切り時の湯残りが少なく、開封用つまみと湯切り孔開口用つまみとを間違えたりすることのない湯切り機能付き蓋材を提供することを課題とする。
【課題を解決するための手段】
【００１２】
本発明の請求項１の発明は、フランジ付き容器本体の開口部に、容器本体の開口部とほぼ同じ外形を有し、開封用つまみを有する蓋材をシールしてなる食品用容器において、前記蓋材は、内面基材とこれを被覆する表面基材が接着剤層を介して積層され、前記表面基材の内側は、略中央部分から端縁に向けて末広がり状に広がる離型剤の塗布された剥離領域と、該剥離領域に隣接して配置された非剥離領域とに区画され、前記剥離領域に隣接して配置された非剥離領域と剥離領域との境界に沿った剥離領域側に、表面基材を貫通する表面基材剥離用ミシン目線が形成され、前記剥離領域の蓋材端縁寄り近傍には、内面基材と接着剤層を貫通して離型剤塗布層に到る湯切り孔が湯切り孔形成用ハーフカット線により形成されていることを特徴とする、湯切り機能付き蓋材である。
【００１３】
このように請求項１記載の発明によれば、フランジ付き容器本体の開口部に、容器本体の開口部とほぼ同じ外形を有し、開封用つまみを有する蓋材をシールしてなる食品用容器において、前記蓋材は、内面基材とこれを被覆する表面基材が接着剤層を介して積層され、前記表面基材の内側は、略中央部分から端縁に向けて末広がり状に広がる離型剤の塗布された剥離領域と、該剥離領域に隣接して配置された非剥離領域とに区画され、前記剥離領域に隣接して配置された非剥離領域と剥離領域との境界に沿った剥離領域側に、表面基材を貫通する表面基材剥離用ミシン目線が形成され、前記剥離領域の蓋材端縁寄り近傍には、内面基材と接着剤層を貫通して離型剤塗布層に到る湯切り孔が湯切り孔形成用ハーフカット線により形成されているので、表面基材の中央部分を表面基材剥離用ミシン目線又はハーフカット線に沿ってめくることにより内面基材が露出し、また蓋材から湯切り孔が出現する。
【００１４】
また、請求項２の発明は、フランジ付き容器本体の開口部に、容器本体の開口部とほぼ同じ外形を有し、開封用つまみを有する蓋材をシールしてなる食品用容器において、前記蓋材は、内面基材とこれを被覆する表面基材が接着剤層を介して積層され、前記表面基材の内側は、開封用つまみ近傍から開封用つまみと対向する蓋材の端縁に向けて楔状に広がる離型材の塗布された剥離領域と、該剥離領域に隣接して配置された非剥離領域とに区画され、前記剥離領域に隣接して配置された非剥離領域と剥離領域との境界に沿った剥離領域側に、表面基材を貫通する表面基材剥離用ミシン目線が形成され、前記剥離領域の基材端縁寄り近傍には、内面基材と接着剤層を貫通して離型剤塗布層に到る湯切り孔が湯切り孔形成用ハーフカット線により形成されていることを特徴とする、湯切り機能付き蓋材である。
【００１５】
このように請求項２記載の発明によれば、フランジ付き容器本体の開口部に、容器本体の開口部とほぼ同じ外形を有し、開封用つまみを有する蓋材をシールしてなる食品用容器において、前記蓋材は、内面基材とこれを被覆する表面基材が接着剤層を介して積層され、前記表面基材の内側は、開封用つまみ近傍から開封用つまみと対向する蓋材の端縁に向けて楔状に広がる離型材の塗布された剥離領域と、該剥離領域に隣接して配置された非剥離領域とに区画され、前記剥離領域に隣接して配置された非剥離領域と剥離領域との境界に沿った剥離領域側に、表面基材を貫通する表面基材剥離用ミシン目線が形成され、前記
剥離領域の基材端縁寄り近傍には、内面基材と接着剤層を貫通して離型剤塗布層に到る湯切り孔が湯切り孔形成用ハーフカット線により形成されているので、表面基材を開封用つまみ近傍から表面基材剥離用ミシン目線に沿ってめくることにより内面基材が露出し、また蓋材から湯切り孔が出現する。
【００１６】
また、請求項３の発明は、請求項１又は２の発明において、前記表面基材剥離用ミシン目線の剥離開始部分は曲線状に形成されていることを特徴とする、湯切り機能付き蓋材である。
【００１７】
このように請求項３の発明によれば、表面基材剥離用ミシン目線の剥離開始部分は曲線状に形成されているので、湯切り部分の表面基材を簡単にちぎり取ることができる。
【００１８】
また、請求項４の発明は、請求項１、２又は３の発明において、前記湯切り孔は、複数個形成され、少なくともその一つは先端がフランジに接して形成されていることを特徴とする、湯切り機能付き蓋材である。
【００１９】
このように請求項４記載の発明によれば、湯切り孔は複数個形成され、少なくともその一つは先端がフランジに接して形成されているので、湯切り孔はフランジに近づいて、湯切り時の湯残りを改善できる。
【発明の効果】
【００２０】
湯切り孔を出現させるために、蓋材の中央部分あるいは蓋材の外周でない部分から剥離開始するので、蓋材の外周につまみを追加することがなく、既存の充填ラインで使用できる。
【００２１】
曲線状のミシン目線を蓋材の上層部分に加工することで，湯切り部分を容易にちぎり取ることができる。さらに、湯切り孔を容器の端縁に近づけることができ、湯切り時の湯残りが改善できる。
【発明を実施するための最良の形態】
【００２２】
本発明を一実施形態に基づいて以下に詳細に説明する。
本発明の湯切り機能付き蓋材は、例えば、図１〜図４に示すように、フランジ付き容器本体（２０）の開口部を覆うように容器本体のフランジにシールされる蓋材（１）で、容器本体の開口部とほぼ同じ外形を有し、開封用つまみ（２）を有するものである。
【００２３】
そして、蓋材（１）は、内面基材（１１）とこれを被覆する表面基材（１２）が接着剤層（１３）を介して積層された構成からなる。
【００２４】
表面基材（１２）の内側は、略中央部分から端縁に向けて末広がり状に広がる離型剤（１４）の塗布された剥離領域（Ａ）と、該剥離領域に隣接して配置された非剥離領域（Ｂ）とに区画されている。
【００２５】
また、剥離領域に隣接して配置された非剥離領域（Ｂ）と剥離領域（Ａ）との境界に沿った剥離領域側に、表面基材（１２）をら貫通する表面基材剥離用のミシン目線（ａ）が形成されている。
【００２６】
さらに、剥離領域（Ａ）の蓋材端縁寄り近傍には、内面基材（１１）と接着剤層（１３）を貫通して離型剤塗布層（１４）に到る湯切り孔（４）が湯切り孔形成用ハーフカット線（ｂ）により形成されている。
【００２７】
なお、剥離領域の剥離開始部分が湯切り部分剥離用つまみ（３）となる。そして、この剥離開始部分の表面基材剥離用のミシン目線（ａ）を曲線状に形成させておくことにより表面基材の湯切り部分を無理なくちぎり取ることができる。
【００２８】
また、湯切り孔（４）は複数個形成させ、蓋材を容器本体の開口部に被せてシールした時、少なくとも湯切り孔の一つは先端が容器本体のフランジに接するように形成させることにより、湯切り時の湯残りを改善させることができる。
【００２９】
このようにすることにより、蓋材の中央部分から表面基材を剥離開始するので、蓋材の外周につまみを追加する必要がない。従って既存の充填ラインがそのまま使用できる。
【００３０】
本発明の湯切り機能付き蓋材の別の実施形態を図５〜図７に示す。
この場合も、図１〜図４に示されている先の実施形態と同様に、フランジ付き容器本体（２０）の開口部を覆うように容器本体のフランジにシールされる蓋材（１）で、容器本体の開口部とほぼ同じ外形を有し、開封用つまみ（２）を有するもので、蓋材（１）は、内面基材（１１）とこれを被覆する表面基材（１２）が接着剤層（１３）を介して積層された構成からなる。
【００３１】
表面基材（１２）の内側は、開封用つまみ近傍から開封用つまみと対向する蓋材の端縁に向けて楔状に広がる離型剤の塗布された剥離領域（Ａ）と、剥離領域に隣接して配置された非剥離領域（Ｂ）とに区画されている。
【００３２】
また、剥離領域に隣接して配置された非剥離領域（Ｂ）と剥離領域（Ａ）との境界に沿った剥離領域側に、表面基材（１２）を貫通する表面基材剥離用のミシン目線又はハーフカット線（ａ）が形成されている。
【００３３】
さらに、剥離領域（Ａ）の蓋材端縁寄り近傍には、内面基材（１１）と接着剤層（１３）を貫通して離型剤塗布層（１４）に到る湯切り孔（４）が湯切り孔形成用ハーフカット線（ｂ）により形成されている。
【００３４】
なお、剥離領域の剥離開始部分が湯切り部分剥離用つまみ（３）となる。そしてこの剥離開始部分の表面基材剥離用のミシン目線（ａ）を曲線状に形成させておくことにより表面基材の湯切り部分を無理なくちぎり取ることができる。
【００３５】
また、剥離開始部分のミシン目線（ａ）の位置、すなわち、湯切り部分剥離用つまみ（３）の剥離開始位置を容器本体のフランジの位置より外に設けることが肝要である。こうすることにより、剥離領域の表面基材を容易に蓋材から剥がすことができる。
【００３６】
また、湯切り孔（４）は複数個形成させ、蓋材を容器本体の開口部に被せてシールした時、少なくとも湯切り孔の一つは先端が容器本体のフランジに接するように形成させることは，前の実施形態と同様である。
【００３７】
以下実施例により本発明の湯切り機能付き蓋材を詳細に説明する。
【実施例１】
【００３８】
先ず、フランジ付き容器本体（２０）との剥離を容易にした低温接着性を有するポリスチレン接着タイプのイージーピールフィルム（厚さ２５μｍ）（１１１）と、アルミニウム箔（厚さ１５μｍ）（１１２）とをドライラミネート法により貼り合わせ、内面基材（１１）とした。
【００３９】
つぎに、片アート紙（坪量１０４．７ｇ／ｍ2 ）（１２１）の艶有り面に一般タイプのポリエチレンテレフタレートフィルム（厚さ１２μｍ）（１２２）をドライラミネート法により貼り合わせ、表面基材（１２）とした。
【００４０】
なお、片アート紙（１２１）の艶なし面側には、所要個所にグラビア印刷法により可食性界面活性剤にワックスを混合してなる離型剤（１４）が塗布され、剥離領域（Ａ）が設けられる。
【００４１】
また、剥離領域（Ａ）に隣接して配置された非剥離領域（Ｂ）との境界に沿った剥離領域（Ａ）に、片アート紙（１２１）とポリエチレンテレフタレートフィルム（１２２）を貫通する表面基材剥離用のミシン目線（ａ）を設けた。
【００４２】
内面基材（１１）のアルミニウム箔面と表面基材（１２）の片アート紙面を対向させ、低密度ポリエチレンからなる接着剤層（１３）により押し出しラミネート法により貼り合わせ、積層材料とした。
【００４３】
続いて、この巻き取り状の積層材料を枚葉状に大断ちした後、剥離領域内の必要個所に湯切り孔形成用のハーフカット加工を行う。湯切り孔形成用ハーフカット線（ｂ）は、剥離領域の基材端縁寄り近傍で、内面基材（１１）と接着剤層（１３）を貫通して離型剤塗布層に到るまで設ける。
【００４４】
湯切り孔形成用ハーフカット線（ｂ）に囲まれた個所が湯切り孔（４）である。湯切り孔（４）は複数個形成され、少なくとも一つは先端がフランジに接して形成されている。
【００４５】
ハーフカット加工完了後、小断ち・抜き加工を経て実施例１の湯切り機能付き蓋材（１）を作製した。
【実施例２】
【００４６】
表面基材の内側に設ける剥離領域（Ａ）を、図５〜図７に示すように、開封用つまみ近傍から開封用つまみと対向する蓋材の端縁に向けて楔状に広がるように形成した以外は、実施例１と同様である。詳細の説明は省略する。なお、湯切り部分剥離用つまみ（３）の剥離開始位置は容器本体のフランジの位置より外に設けてある。
【００４７】
湯切り部分剥離用つまみ（３）の剥離開始位置が容器本体フランジの位置より外に設けてあるので、この部分をフランジに沿って下に折り曲げると湯切り部分剥離用つまみ（３）が浮き上がり、つまみ易くなる。
【００４８】
こうして作製した実施例１、実施例２の蓋材を、あらかじめ焼きそば等の内容物を収容しておいた発泡スチロール、ポリプロピレンなどからなる容器本体（２０）にヒートシールして排湯機能を有する食品用容器とした。
【００４９】
この食品用容器の蓋材を開封用つまみ（２）から開封し、必要量の熱湯を注ぎ、再び蓋材を閉じ、所要時間経過後、今度は湯切り部分剥離用つまみ（３）をつまんで表面基材剥離用のミシン目線（ａ）に沿って表面基材（１２）のみを引き上げると、表面基材（１２）が容器本体から剥がれて、排湯口開口が露出する。
【００５０】
排湯口開口が露出した食品用容器を傾け、排湯口開口から湯（５）の排出を行った（図４参照）。湯残りはほとんどなく、湯切り時の湯残りは改善された。
【図面の簡単な説明】
【００５１】
【図１】本発明の湯切り機能付き蓋材の一実施例を示す、（ａ）は平面説明図であり、（ｂ）は裏面説明図である。
【図２】図１（ａ）におけるＡ−Ａ’線断面説明図である。
【図３】図１において表面基材を剥がして湯切り孔を露出させた状態の一実施例を示す、（ａ）は平面説明図であり、（ｂ）は（ａ）のＡ−Ａ’線断面説明図である。
【図４】本発明の湯切り機能付き蓋材の使用状態の一実施例を示す、説明図である。
【図５】本発明の湯切り機能付き蓋材の別の実施例を示す、（ａ）は平面説明図であり、（ｂ）は裏面説明図である。
【図６】図５（ａ）におけるＡ−Ａ’線断面説明図である。
【図７】図５において表面基材を剥がして湯切り孔を露出させた状態の一実施例を示す、（ａ）は平面説明図であり、（ｂ）は（ａ）のＡ−Ａ’線断面説明図である。
【図８】従来の湯切り機能付き蓋材の一例を示す、断面説明図である。
【符号の説明】
【００５２】
１‥‥蓋材
２‥‥開封用つまみ
３‥‥湯切り部分剥離用つまみ
４‥‥湯切り孔
５‥‥湯
１１‥‥内面基材
１２‥‥表面基材
１３‥‥接着剤層
１４‥‥離型剤塗布層
２０‥‥容器本体
２１‥‥容器本体の端縁
１１１‥‥イージーピールフィルム
１１２‥‥アルミニウム箔
１２１‥‥片アート紙
１２２‥‥ポリエチレンテレフタレートフィルム
２０２‥‥開封用つまみ
２０３‥‥湯切り孔開口用つまみ
２０４‥‥湯切り孔
２０５‥‥くり抜かれた円形の湯切り孔の孔部分
２１２‥‥表面基材
２２１‥‥容器端
ａ‥‥表面基材剥離用ミシン目線
ｂ‥‥湯切り孔形成用ハーフカット線
Ａ‥‥剥離領域
Ｂ‥‥非剥離領域
【図１】
2007084109.tif 000003
【図２】
2007084109.tif 000004
【図３】
2007084109.tif 000005
【図４】
2007084109.tif 000006
【図５】
2007084109.tif 000007
【図６】
2007084109.tif 000008
【図７】
2007084109.tif 000009
【図８】
2007084109.tif 000010